(57)【特許請求の範囲】
【請求項１】
容器本体の胴部に及ぼされる外圧により流動性を有する内容物が排出される開口部と、該開口部に設けられた開閉弁とを具える分配容器であって、該開閉弁は、容器本体の開口部により固定位置に支持される中栓と、容器本体の開口部に取り付けられた弾性変形可能な頂壁とで構成され、該頂壁が、容器本体の胴部に外圧が及ぼされない中立状態で中栓に密着して前記開口部を閉鎖する閉鎖位置を占め、容器本体の胴部に外圧が及ぼされた使用状態で弾性変形しながら外方に向けて中栓から離間変位して前記開口部を開放する開放位置を占める自己開閉式の開閉弁であり、さらに、前記中栓に、分配容器の未使用初期状態で前記頂壁を当該中栓に密着した閉鎖位置に保持するバージン栓を離脱可能に設けてなることを特徴とする分配容器。
【請求項２】
前記バージン栓の下部には、前記頂壁を前記中栓に密着した閉鎖位置に保持する際に、この頂壁を前記中栓に向けて押圧する押圧突起を具えることを特徴とする、請求項１に記載の容器。
【請求項３】
前記バージン栓は、前記中栓に設けたリベット状の突起が嵌合する嵌合穴を具えることを特徴とする、請求項１または２に記載の容器。
【請求項４】
前記中栓に設けたリベット状の突起と、前記バージン栓に設けた前記嵌合穴とを超音波カールまたは熱カールによって溶着したことを特徴とする、請求項３に記載の容器。
【請求項５】
前記バージン栓は、容器内方に向かう凸部を具え、この凸部が前記中栓に設けた容器内方に向かう凹部とアンダーカット嵌合によって前記中栓に対して係止されるものであることを特徴とする、請求項１または２に記載の容器。
【請求項６】
前記バージン栓は、前記容器本体の外方に、前記頂壁の外周よりも大きく前記容器本体の外周よりも小さな寸法で延在する取手部を具えることを特徴とする、請求項１乃至５のいずれか一項に記載の容器。
【請求項７】
前記バージン栓は、前記取手部の下部に当該取手部を区画する薄肉部を具えることを特徴とする、請求項１乃至６のいずれか一項に記載の容器。
【請求項８】
前記容器は、軟質ポリエチレン樹脂またはオレフィン系の樹脂からなることを特徴とする、請求項１乃至７のいずれか一項に記載の容器。
【発明の詳細な説明】
【０００１】
【技術分野】
本発明は、流動性物質を内容物とする分配容器に関するものである。
【０００２】
【従来の技術】
容器本体の胴部に外圧を加えて開口部に設けられた開閉弁から内容物を排出する分配容器は、例えば、特開平３−１２４５６８号公報に記載されており、液体、ペースト、粉体などの流動性物質が充填されている。こうした流動性物質としては、料理用油、サラダドレッシング、ケチャップ、マスタードなどの流動性食料品、歯磨き剤、スキンクリーム、白粉、シャンプー、整髪料などの洗面用品などがある。
【０００３】
ところで、こうした内容物に関しては、品質の高い製品を消費者に提供するため、厳しい品質管理が行われている。このため、従来から、容器の開口部に設けられた開閉弁を、例えば、テープで封止して、容器が未開封であることを消費者に表示することにより、内容物の品質を保証する技術がある。
【０００４】
しかしながら、封止テープなどによって品質保証を表示する技術にあっては、メーカーにおいて内容物を充填して製品として出荷する際や、販売店において容器を店棚に陳列する際、搬送中に封止テープが切れないように注意を払う必要があるため、円滑な流通を妨げるという不都合があった。
【０００５】
特に、容器本体の胴部に及ぼされる外圧により開閉弁によって内容物が排出される分配容器は、上記公報に記載の如く、前記開閉弁が、容器本体の開口部により固定位置に支持される中栓と、容器本体の開口部に取り付けられた弾性変形可能な頂壁とから構成され、該頂壁は、容器本体の胴部に外圧が及ぼされない中立状態で中栓に密着して前記開口部を閉鎖する閉鎖位置を占め、容器本体の胴部に外圧が及ぼされた使用状態で弾性変形しながら外方に向けて中栓から離間変位して前記開口部を開放する開放位置を占める自己開閉式の開閉弁であるため、運搬中常に、容器本体の胴部に外圧が及ぼされる状況にあるから、封止テープが破断しないよう、分配容器を慎重に取扱わなければならない。
【０００６】
さらには、いたずら等により故意に封止テープをいじられた場合には、その形跡を確認するのが困難である等の問題も存在している。
【０００７】
【発明が解決しようとする課題】
本発明は、上述した問題点を解消するためになされたものであり、取扱い及び未使用状態の確認が容易な品質保証の表示機能を有する流動性物質用の分配容器を提供することを目的とする。
【０００８】
【課題を解決するための手段】
この課題を解決するため、本発明による流動性物質用の分配容器は、容器本体の胴部に及ぼされる外圧により流動性を有する内容物が排出される開口部と、該開口部に設けられた開閉弁とを具える分配容器であって、該開閉弁は、容器本体の開口部により固定位置に支持される中栓と、容器本体の開口部に取り付けられた弾性変形可能な頂壁とで構成され、該頂壁が、容器本体の胴部に外圧が及ぼされない中立状態で中栓に密着して前記開口部を閉鎖する閉鎖位置を占め、容器本体の胴部に外圧が及ぼされた使用状態で弾性変形しながら外方に向けて中栓から離間変位して前記開口部を開放する開放位置を占めるものであり、さらに、前記中栓に、分配容器の未使用初期状態で前記頂壁を中栓に密着した閉鎖位置に保持するバージン栓を離脱可能に設けてなることを特徴とするものである。
【０００９】
この場合、品質保証を表示するための部材として、封止テープではなく、バージン栓を利用するから、封止テープの場合のように分配容器の取扱いに大きな注意を払わずに済む。さらには、前記バージン栓の有無により、未使用状態の確認も容易となる。
【００１０】
従って、本発明によれば、品質保証の表示機能を有する流動性物質用の分配容器に対する取扱い及び未使用状態の確認が容易になることにより、製品を円滑に流通することができる。
【００１１】
【実施の形態】
本発明の好適な実施形態において、前記バージン栓の下部には、前記頂壁を前記中栓に密着した閉鎖位置に保持する際に、この頂壁を前記中栓に向けて押圧する押圧突起を設けることが好ましい。この場合、前記押圧突起は、前記頂壁と前記中栓との密着性をさらに向上させることができる。
【００１２】
前記バージン栓は、前記中栓に設けたリベット状の突起が嵌合する嵌合穴を具えることが好ましい。この場合、前記バージン栓の固定手段を容易かつ安価に製造することができるため、品質保証の表示機能を有する分配容器を容易且つ安価に提供することができる。特に、前記中栓に設けたリベット状の突起と、前記バージン栓に設けた嵌合穴とは、超音波カールまたは熱カールによって溶着することが好ましい。この場合、前記中栓に対するバージン栓の取り付けがさらに強固なものとなる。
【００１３】
また、前記バージン栓は、容器内方に向かう凸部を具え、この凸部が前記中栓に設けた容器内方に向かう凹部とアンダーカット嵌合によって前記中栓に対して係止されるものであってもよい。この場合、リベット嵌合と同様、品質保証の表示機能を有する分配容器を容易且つ安価に提供することができる。
【００１４】
前記バージン栓は、前記容器本体の外方に、前記頂壁の外周よりも大きく前記容器本体の外周よりも小さな範囲で延在する取手部を具えることが好ましい。この場合、前記中栓に対してバージン栓を取り外すための動作が容易になる。さらに前記バージン栓は、この取手部の下部に当該取手部を区画する薄肉部を具えることが好ましい。この場合、前記中栓に対してバージン栓をさらに取り外すための動作が容易になる。
【００１５】
前記容器は、軟質ポリエチレン樹脂またはオレフィン系の樹脂からなることが好ましい。この場合、分配容器をさらに容易且つ安価に提供することができる。
【００１６】
【実施例】
以下、本発明の実施例を、添付図面に基づき詳細に説明する。
【００１７】
図１および図２は、本発明に係る、流動性物質用の分配容器の第１実施例を示す断面図である。図１は、バージン栓が開閉弁の中栓に取り付けられた状態を示し、図２は、バージン栓が開閉弁の中栓から離脱した状態を示す。
【００１８】
分配容器は、容器本体の胴部１０に及ぼされる外圧により流動性を有する内容物が排出される開口部１１と、この開口部１１に設けられた開閉弁２０を具える。この分配容器は、軟質ポリエチレン樹脂またはオレフィン系の樹脂からなることが好ましい。この場合、分配容器をさらに容易且つ安価に提供することができる。
【００１９】
開閉弁２０は、容器本体の開口部１１により固定位置に支持される中栓２１と、この開口部１１に取り付けられた弾性変形可能な頂壁２２とから構成される自己開閉式の開閉弁である。中栓２１は、容器開口部１１の内側に嵌合させることによって取り付けられている。頂壁２２は、ヒンジ部２２ｈを介して容器開口部１１の外周部を覆う構造であって、その内側に溝部分２３を具える。頂壁２２は、この溝部分２３に容器開口部１１の外側に設けた張り出し部分１２を嵌合させることによって取り付けられている。
【００２０】
図３は、分配容器の作動状態を示す断面図である。ここで、図２および図３を参照し、分配容器の作用を説明する。なお、図３において、図２と同一部分は、同一符号で表し、その説明を省略する。
【００２１】
使用者によって容器本体の胴部１０に外圧が及ぼされない中立状態では、図２に示す如く、開閉弁２０の頂壁２２が中栓２１に密着して開口部１１を閉鎖する閉鎖位置を占める。これにより、分配容器に充填された内容物は開口部１１から排出されない。
【００２２】
使用者によって容器本体の胴部１０に外圧が及ぼされる使用状態では、図３に示す如く、開閉弁２０の頂壁２２がヒンジ部２２ｈを介して弾性変形しながら外方に向けて中栓２１から離間変位して開口部１１を開放する開放位置を占める。これにより、分配容器に充填された内容物は、逆流することなく、開口部１１から排出される。
【００２３】
図１，２に示す符号３０は、内容物の品質保証を表示するためのバージン栓である。このバージン栓３０は、図１に示す如く、中栓２１に設けたリベット状の突起２４が嵌合する嵌合穴３１を具え、分配容器の未使用初期状態で頂壁２２を中栓２１に密着した閉鎖位置に保持する。
【００２４】
次に図１および図２を参照し、第１実施例をさらに詳細に説明する。
【００２５】
メーカーにおいて内容物を充填して製品として出荷する際や、販売店において分配容器を店棚に陳列する際には、分配容器が未使用初期状態であるため、図１に示す如く、バージン栓３０が頂壁２２を中栓２１に密着した閉鎖位置に保持する。この場合、バージン栓３０は、製品が未使用初期状態であることを表示し、消費者は、実際に使用する段階になって始めて、図２に示す如く、バージン栓３０を中栓２１から取り外すことになる。一度取り外されたバージン栓３０を再び中栓２１に取り付けることはできない。従って、このバージン栓３０が、分配容器の誤作動を防止すると共に分配容器内に充填された内容物の品質を保証する。
【００２６】
この場合、品質保証を表示するための部材として、封止テープではなく、バージン栓３０を利用するから、封止テープなどの場合のように、分配容器の取扱いに大きな注意を払わずに済む。さらには、バージン栓３０の有無により、未使用状態の確認も容易となる。
【００２７】
従って、本実施例によれば、品質保証の表示機能を有する流動性物質用の分配容器に対する取扱い及び未使用状態の確認が容易になることにより、製品を円滑に流通することができる。
【００２８】
バージン栓３０は、中栓２１に設けたリベット状の突起２４が嵌合する嵌合穴３１を具えることが好ましい。この場合、バージン栓３０の固定手段を容易かつ安価に製造することができるため、品質保証の表示機能を有する分配容器を容易且つ安価に提供することができる。
【００２９】
バージン栓３０の下部には、頂壁２２を中栓２１に密着した閉鎖位置に保持する際に、開閉弁２０の頂壁２２を中栓２１に向けて押圧する押圧突起３２を設けることが好ましい。この場合、押圧突起３２は、頂壁２２と中栓２１との密着性をさらに向上させることができる。
【００３０】
なお、リベット状の突起２４と嵌合穴３１とは、超音波カールや熱カールなどによって溶着されることが好ましい。この場合、中栓２１に対するバージン栓３０の取り付けがさらに強固なものとなる。
【００３１】
また、バージン栓３０は、図１に示す如く、容器本体の外方に、頂壁２２の外周よりも大きく容器本体の外周よりも小さな範囲Ｘで延在する取手部３３を具える。この場合、中栓２１に対してバージン栓３０を取り外すための手動動作が容易になる。さらにバージン栓３０は、この取手部３３の下部に薄肉部３４を具えることが好ましい。この場合、中栓２１に対してバージン栓３０をさらに取り外すための手動動作が容易になる。
【００３２】
図４は本発明の第２実施例を示すものであって、（ａ）は、第２実施例を示す断面図、（ｂ）は中栓を矢印Ｄから示す下面図である。なお、図１乃至図３のいずれかと同一部分は、同一符号で表し、その説明を省略する。
【００３３】
符号４０は、内容物の品質保証を表示するための他のバージン栓である。このバージン栓４０は、図４（ａ）に示す如く、容器内方に向かう凸部４１を具え、この凸部４１が中栓２１に設けた容器内方に向かう凹部２５とアンダーカット嵌合し、分配容器の未使用初期状態で頂壁２２を中栓２１に密着した閉鎖位置に保持する。
【００３４】
アンダーカット嵌合は、バージン栓凸部４１に径方向外向きに形成された突起４１ａと、中栓凹部２５に径方向外向きに形成された溝部２５ａとの嵌合であって、これにより、バージン栓４０が中栓２１に対して係止される。
【００３５】
次に図４を参照し、第２実施例をさらに詳細に説明する。
【００３６】
メーカーにおいて内容物を充填して製品として出荷する際や、販売店において分配容器を店棚に陳列する際には、分配容器が未使用初期状態であるため、バージン栓４０が頂壁２２を中栓２１に密着した閉鎖位置に保持する。この場合、バージン栓４０は、製品が未使用初期状態であることを表示し、消費者は、実際に使用する段階になって始めて、バージン栓４０を中栓２１から取り外すことになる。従って、このバージン栓４０が、分配容器の誤作動を防止すると共に分配容器内に充填された内容物の品質を保証する。
【００３７】
この場合、品質保証を表示するための部材として、封止テープではなく、バージン栓４０を利用するから、封止テープなどの場合のように、分配容器の取扱いに大きな注意を払わずに済む。さらには、バージン栓４０の有無により、未使用状態の確認も容易となる。
【００３８】
従って、本実施例によれば、品質保証の表示機能を有する流動性物質用の分配容器に対する取扱い及び未使用状態の確認が容易になることにより、製品を円滑に流通することができる。
【００３９】
バージン栓４０の下部には、第１実施例と同様、頂壁２２を中栓２１に密着した閉鎖位置に保持する際に、開閉弁２０の頂壁２２を中栓２１に向けて押圧する押圧突起４２を設けることが好ましい。この押圧突起４２は、頂壁２２と中栓２１との密着性をさらに向上させることができる。
【００４０】
また、バージン栓４０は、図４（ａ）に示す如く、容器本体の外方に、頂壁２２の外周よりも大きく容器本体の外周よりも小さな範囲Ｘで延在する取手部４３を具える。この場合、中栓２１に対してバージン栓４０を取り外すための動作が容易になる。さらにバージン栓４０は、この取手部４３の下部に薄肉部４４を具えることが好ましい。この場合、中栓２１に対してバージン栓４０をさらに取り外すための動作が容易になる。
【００４１】
上述したところは、本発明の好適な実施例を示したに過ぎず、当業者によれば、請求の範囲において、種々の変更を加えることができる。
【図面の簡単な説明】
【図１】本発明による流動性物質用の分配容器の第１実施例を示す断面図である。
【図２】同例におけるバージン栓を中栓から取り外した状態を示す断面図である。
【図３】分配容器の作用を説明する断面図である。
【図４】（ａ）は本発明の第２実施例を示す断面図、（ｂ）は中栓を（ａ）の矢印Ｄで示す下面図である。
【符号の説明】
１０  胴部（容器本体）
１１  開口部（容器本体）
１２  張り出し部分
２０  自己開閉弁
２１  中栓
２２  頂壁
２２ｈ  ヒンジ部
２３  溝部分
２４  リベット状の突起
２５  凹部
２５ａ  アンダーカット溝部
３０  バージン栓
３１  嵌合穴
３２  押圧突起
３３  取手部
３４  薄肉部
４０  バージン栓
４１  凸部
４１ａ  アンダーカット突起
４２  押圧突起
４３  取手部
４４  薄肉部
【図１】
0003954281.tif 000002
【図２】
0003954281.tif 000003
【図３】
0003954281.tif 000004
【図４】
0003954281.tif 000005